(57)【要約】      （修正有）【課題】折曲継手を介して連結されたネジ鋼棒を鋼管杭に取り付けて、杭孔への建て込みや建て込み後に鋼管杭からネジ鋼棒を回収する場合に、杭孔の側壁面への接触や干渉から折曲継手を保護し、工事の安全性や作業性を高めるネジ鋼棒の連結構造を提供する。【解決手段】折曲継手１０の非保護時には、ネジ鋼棒上１ａに移動させられた保護管体３０の開口部に蓋体４０が冠着され、蓋体４０と折曲継手１０との間のネジ鋼棒１ａ上に位置させられた螺合部材５０により、保護管体３０の折曲継手１０側への移動が規制される。折曲継手１０の保護時には、蓋体４０を取り外して折曲継手１０上に移動させられた保護管体３０の開口部が折曲継手１０の係止突部１４ｃに係止される一方、保護管体３０の開口部に蓋体４０が取り付けられ、螺合部材５０により蓋体４０が押圧された状態で、折曲継手１０上に保護管体３０が装着される。【選択図】図１
0003164119.tif 000002
【実用新案登録請求の範囲】
【請求項１】
折曲継手を介して連結されたネジ鋼棒の連結構造であって、
前記折曲継手の一方の端部側に、係止突部が形成され、
前記折曲継手の他方の端部側に連結されたネジ鋼棒に挿通され、前記折曲継手を収容可能な大きさの保護管体と、
前記ネジ鋼棒に直径方向から嵌め込むための溝部を有し、該溝部に前記ネジ鋼棒を嵌め込んだ状態で、前記保護管体の開口部に着脱可能な蓋体と、
前記折曲継手の他方の端部側に連結されたネジ鋼棒に螺合され、外径が、前記蓋体の溝部の幅よりも大きく、前記保護管体の内径よりも小さい螺合部材とを備え、
前記折曲継手の非保護時には、
前記折曲継手の他方の端部側に連結されたネジ鋼棒上に移動させられた前記保護管体の前記折曲継手側の開口部に前記蓋体が取り付けられ、該蓋体と前記折曲継手との間のネジ鋼棒上に位置させられた前記螺合部材により前記蓋体が支持されて、前記保護管体の前記折曲継手側への移動が規制され、
前記折曲継手の保護時には、
前記蓋体を取り外して前記折曲継手上に移動させられた前記保護管体の前記折曲継手側の開口部が前記折曲継手の前記係止突部に係止される一方、前記保護管体の他方の開口部に前記蓋体が取り付けられ、前記螺合部材により前記蓋体が押圧された状態で、前記保護管体が前記折曲継手上に装着されるように構成されていることを特徴とするネジ鋼棒の連結構造。
【請求項２】
前記折曲継手が、連結板を介して回動自在に軸着された一対の回動部材を備え、各回動部材は、前記ネジ鋼棒を螺着するための螺合部を有し、一方の回動部材の端部に、前記係止突部が形成され、
前記連結板及び前記一対の回動部材を貫通させた軸部材の両端部に、該軸部材の抜け止め部材が装着されるものであることを特徴とする請求項１記載のネジ鋼棒の連結構造。
【請求項３】
前記蓋体が、前記保護管体の外径より大きな径を有する蓋板部と、前記保護管体の内側に嵌め込まれるように、前記蓋板部に立設された側壁部とからなり、
前記蓋板部の中心部から前記側壁部に架けて、前記溝部が形成されていることを特徴とする請求項１又は請求項２記載のネジ鋼棒の連結構造。
【考案の詳細な説明】
【技術分野】
【０００１】
本考案はネジ鋼棒の連結構造に関し、より詳細には折曲継手を介して連結されたネジ鋼棒の連結構造に関する。
【背景技術】
【０００２】
従来より、基礎工事の現場において、鋼管杭などの基礎杭を杭孔（掘削孔）に建て込む場合、杭頭部の周囲に溶接された複数のナット部材に、ネジ状のリブ（節）が形成されたネジ鋼棒をねじ込んで、ネジ鋼棒と鋼管杭とを連結し、該ネジ鋼棒をクレーンで吊り上げて鋼管杭を吊り下げ状態とした後、鋼管杭を杭孔に建て込む。杭孔への鋼管杭の建て込み後、ネジ鋼棒を杭頭部のナット部材へのねじ込み時とは逆回転させて、ネジ鋼棒を杭頭部のナット部材から取り外して、ネジ鋼棒を回収する作業が行われていた。
【０００３】
鋼管杭の建て込みに使用されるネジ鋼棒は、長さが６ｍ程度のものが通常使用されており、それより長尺のものが必要な場合には、ネジ溝が形成された筒状のカプラーなどの継手を用いてネジ鋼棒同士を連結して使用していた。
【０００４】
一方、高層ビルの基礎工事などでは、杭孔が非常に深く、鋼管杭を吊り下げて、杭孔に建て込むために、長さが３０ｍ程度のネジ鋼棒が必要となる場合も想定されている。このような非常に長いネジ鋼棒が必要となった場合、一直線上に連結されたネジ鋼棒をそのまま配置できるような作業スペースを現場で確保することは通常難しいため、配置の省スペース化を図るためにネジ鋼棒同士の連結に一部、折曲継手を使用することが考えられる。
【０００５】
折曲継手は、連結板を介して回動自在に軸着された一対の回動部材などを含んで構成されているが、複数の板状部材が組み合わされて構成されているため、一直線状に連結するカプラー等の継手と比べて、幅寸法が大きくなりやすく、また、構造上、表面の凹凸が多くなりやすい。
【０００６】
このような折曲継手を介して連結されたネジ鋼棒を使用して、杭孔に鋼管杭を建て込む場合、杭孔の側壁面に折曲継手が接触、干渉する可能性があり、さらに、折曲継手の回動部材を軸止する軸部材が、割りピンなどの抜け止め部材で固定されていた場合、杭孔の側壁面との接触で、前記抜け止め部材が変形したり、破損したりして、軸部材が抜け落ち、鋼管杭の落下事故等が発生する虞があった。
【０００７】
また、鋼管杭の建て込み後、鋼管杭の杭頭部にナット部材を介して連結されたネジ鋼棒を回収する作業を行う場合も、ネジ鋼棒を回転させる際に、杭孔の側壁面に折曲継手が接触、干渉する可能性があり、ネジ鋼棒を回転させにくくなったりして、ネジ鋼棒の回収作業に手間取る虞があった。
【考案の概要】
【課題を解決するための手段及びその効果】
【０００８】
本考案は上記課題に鑑みなされたものであって、折曲継手を介して連結されたネジ鋼棒を鋼管杭に取り付けて、杭孔への建て込みを行う場合や該建て込み後に鋼管杭からネジ鋼棒を回収する場合に、杭孔の側壁面への接触や干渉などから折曲継手を適切に保護し、工事の安全性及び作業性を高めることのできるネジ鋼棒の連結構造を提供することを目的としている。
【０００９】
上記目的を達成するために本考案に係るネジ鋼棒の連結構造（１）は、折曲継手を介して連結されたネジ鋼棒の連結構造であって、前記折曲継手の一方の端部側に、係止突部が形成され、前記折曲継手の他方の端部側に連結されたネジ鋼棒に挿通され、前記折曲継手を収容可能な大きさの保護管体と、前記ネジ鋼棒に直径方向から嵌め込むための溝部を有し、該溝部に前記ネジ鋼棒を嵌め込んだ状態で、前記保護管体の開口部に着脱可能な蓋体と、前記折曲継手の他方の端部側に連結されたネジ鋼棒に螺合され、外径が、前記蓋体の溝部の幅よりも大きく、前記保護管体の内径よりも小さい螺合部材とを備え、前記折曲継手の非保護時には、前記折曲継手の他方の端部側に連結されたネジ鋼棒上に移動させられた前記保護管体の前記折曲継手側の開口部に前記蓋体が取り付けられ、該蓋体と前記折曲継手との間のネジ鋼棒上に位置させられた前記螺合部材により前記蓋体が支持されて、前記保護管体の前記折曲継手側への移動が規制され、前記折曲継手の保護時には、前記蓋体を取り外して前記折曲継手上に移動させられた前記保護管体の前記折曲継手側の開口部が前記折曲継手の前記係止突部に係止される一方、前記保護管体の他方の開口部に前記蓋体が取り付けられ、前記螺合部材により前記蓋体が押圧された状態で、前記保護管体が前記折曲継手上に装着されるように構成されていることを特徴としている。
【００１０】
上記ネジ鋼棒の連結構造（１）によれば、前記折曲継手の非保護時（例えば、ネジ鋼棒が前記折曲継手を介して折り畳まれている時）には、前記折曲継手の他方の端部側に連結されたネジ鋼棒上に移動させられた前記保護管体の前記折曲継手側の開口部に前記蓋体が取り付けられ、該蓋体と前記折曲継手との間のネジ鋼棒上に位置させられた前記螺合部材により前記蓋体が支持されて、前記保護管体の前記折曲継手側への移動が規制されるため、前記折曲継手の折れ曲げ動作に支障を生じることなく、前記保護管体を前記折曲継手の他方の端部側に連結されたネジ鋼棒上に位置させることができる。
【００１１】
一方、前記折曲継手の保護時（ネジ鋼棒が折曲継手を介して一直線状に吊り上げられた状態で使用する時）には、前記蓋体を取り外して前記折曲継手上に移動させられた前記保護管体の前記折曲継手側の開口部が前記折曲継手の前記係止突部に係止される一方、前記保護管体の他方の開口部に前記蓋体が取り付けられ、前記螺合部材により前記蓋体が押圧されて、前記保護管体が前記折曲継手上に装着されるので、前記折曲継手を前記保護管体により確実に保護することができる。
したがって、前記折曲継手を介して連結されたネジ鋼棒を鋼管杭頭部のナット部材に取り付けて、杭孔への建て込みを行う場合や該建て込み後に鋼管杭からネジ鋼棒を回収する場合に、杭孔の側壁面への接触や干渉などから折曲継手を適切に保護することができ、工事の安全性及び作業性を高めることができる。
【００１２】
また本考案に係るネジ鋼棒の連結構造（２）は、上記ネジ鋼棒の連結構造（１）において、前記折曲継手が、連結板を介して回動自在に軸着された一対の回動部材を備え、各回動部材は、前記ネジ鋼棒を螺着するための螺合部を有し、一方の回動部材の端部に、前記係止突部が形成され、前記連結板及び前記一対の回動部材を貫通させた軸部材の両端部に、該軸部材の抜け止め部材が装着されるものであることを特徴としている。
【００１３】
上記ネジ鋼棒の連結構造（２）によれば、前記折曲継手が、前記抜け止め部材を使用して前記軸部材が軸着されているものであっても、前記保護管体により確実に保護することができ、前記折曲継手を介して連結されたネジ鋼棒を使用して、杭孔に鋼管杭を建て込む場合、杭孔の側壁面との接触で、前記抜け止め部材が変形したり、破損したりして、前記抜け止め部材が前記軸部材から抜け落ちる虞をなくすことができ、作業の安全性を高めることができる。
【００１４】
また本考案に係るネジ鋼棒の連結構造（３）は、上記ネジ鋼棒の連結構造（１）又は（２）において、前記蓋体が、前記保護管体の外径より大きな径を有する蓋板部と、前記保護管体の内側に嵌め込まれるように、前記蓋板部に立設された側壁部とからなり、前記蓋板部の中心部から前記側壁部に架けて、前記溝部が形成されていることを特徴としている。
【００１５】
上記ネジ鋼棒の連結構造（３）によれば、前記蓋体の前記溝部に前記ネジ鋼棒を容易に嵌め込むことができ、前記蓋体の側壁部を前記保護管体の内側に嵌め込むと、前記蓋板部の周縁部に前記保護管体の開口部が当接した状態で冠着されるので、前記蓋体を前記ネジ鋼棒及び前記保護管体に容易に取り付けることができ、また、取り外しも容易に行うことができる。
【図面の簡単な説明】
【００１６】
【図１】本考案の実施の形態に係るネジ鋼棒の連結構造を概略的に示した図であり、（ａ）は、折曲継手の非保護時の状態を示した図であり、（ｂ）は折曲継手の保護時の状態を示した図である。
【図２】図１（ｂ）におけるII−II線断面図を示している。
【図３】図１（ｂ）におけるIII−III線断面図を示している。
【図４】実施の形態に係るネジ鋼棒の連結構造を構成する折曲継手を示した図であり、（ａ）は平面図、（ｂ）は正面図、（ｃ）は右側面図である。
【図５】実施の形態に係るネジ鋼棒の連結構造を構成する蓋体を示した図であり、（ａ）は平面図、（ｂ）は正面図である。
【図６−１】（ａ）〜（ｃ）は、実施の形態に係るネジ鋼棒の連結構造を説明するための図である。
【図６−２】（ｄ）〜（ｉ）は、実施の形態に係るネジ鋼棒の連結構造を説明するための図である。
【考案を実施するための形態】
【００１７】
以下、本考案に係るネジ鋼棒の連結構造の実施の形態を図面に基づいて説明する。図１は、実施の形態に係るネジ鋼棒の連結構造を概略的に示した図であり、（ａ）は、折曲継手の非保護時の状態を示した図であり、（ｂ）は折曲継手の保護時の状態を示した図である。図２は、図１（ｂ）におけるII−II線断面図、図３は、図１（ｂ）におけるIII−III線断面を示している。図４は、実施の形態に係るネジ鋼棒の連結構造を構成する折曲継手を概略的に示した図であり、（ａ）は平面図、（ｂ）は正面図、（ｃ）は右側面図である。図５は、実施の形態に係るネジ鋼棒の連結構造を構成する蓋体を示した図であり、（ａ）は平面図、（ｂ）は正面図である。
【００１８】
図中１ａ、１ｂは、外周面にネジ状のリブ（節）と平坦部とを有する、断面視略楕円形状をしたネジ鋼棒を示している。ネジ鋼棒には、例えば、外周面にネジ状リブが形成されたＰＣ鋼棒が採用され得る。
【００１９】
図中１０は、２本のネジ鋼棒１ａ、１ｂ間を折曲可能に連結する折曲継手を示している。折曲継手１０は、長円形状をした上下２枚の連結板１１、１２と、これら連結板１１、１２間に配設された一対の回動部材１３、１４と、連結板１１、１２に形成された軸孔１１ａ、１２ａ、及び各回動部材１３、１４の向い合う一端側に形成された軸孔１３ａ、１４ａに通して、回動部材１３、１４を連結板１１、１２に回動自在に軸着する軸部材１５、１６とを含んで構成されている。
【００２０】
各回動部材１３、１４は、略Ｕ字形状に形成されたものであり、各回動部材１３、１４の溝部１３ｂ、１４ｂには、ネジ鋼棒１ａ、１ｂを螺着するために、内面にネジ溝が形成された螺合部材１７、１８と、溶接長を確保するための筒部材１９、２０とが、溶接により固着（一体化）されている。また、螺合部材１７、１８の側面には、螺合されたネジ鋼棒１ａ、１ｂの外れを防止するための止めネジ（図示せず）を螺着するための止めネジ孔１７ａ、１８ａが複数個形成されている。また、一方の回動部材１４の端部には、連結されるネジ鋼棒１ｂの直径方向に突き出した係止突部１４ｃが形成されている。
【００２１】
また、軸部材１５、１６の両端部には挿通孔１５ａ、１６ａが形成され、挿通孔１５ａ、１６ａには、抜け止め部材（図示せず）が挿着されるようになっている。この抜け止め部材には、割りピンの他、本出願人が先に出願した抜け止めピン（実用新案登録第３１５０９６９号）、すなわち、軸部材の挿通孔に挿入される棒状の挿通部と、該挿通部の一端に形成された抜止部と、一端側が前記抜止部に連結され、他端側に前記挿通部の他端に係脱自在に係止させる環状の係止部が形成された、前記挿通部よりも長さの短いコイルバネ部材とを備えている抜け止めピン（図示せず）を適用することができる。
【００２２】
図中３０は、円管状をした保護管体を示している。保護管体３０は、折曲継手１０の他方の端部（回動部材１３）側に連結されたネジ鋼棒１ａに挿通され、折曲継手１０の回動部材１４に形成された係止突部１４ｃに一方の開口部３０ａを係止させた状態で、折曲継手１０を内部（管内）に収容可能な大きさ（内径及び長さ）に形成されている。
【００２３】
図中４０は、保護管体３０の開口部３０ａ、３０ｂに着脱可能な蓋体を示している。蓋体４０は、図５に示したように、略円板形状をした蓋板部４１と、保護管体３０の内側に嵌め込まれる略円筒形状をした側壁部４２とを有し、蓋板部４１及び側壁部４２には、蓋板部４１の中心部から側壁部４２に架けて、ネジ鋼棒１ａに直径方向から嵌め込むための溝部４３が形成され、溝部４３にネジ鋼棒１ａを嵌め込んだ状態で、保護管体３０の開口部３０ａ、３０ｂに着脱可能になっている。蓋板部４１の外径は、保護管体３０の外径よりも大きく、冠着時には蓋板部４１の周縁部分に、保護管体３０の開口部３０ａ、３０ｂが当接するようになっている。
【００２４】
図中５０は、折曲継手１０の他方の端部（回動部材１３）側に連結されたネジ鋼棒１ａに螺合され、外径が、蓋体４０の溝部４３の幅よりも大きく、保護管体３０の内径よりも小さい螺合部材を示している。螺合部材５０としては、ナット部材が採用され得る。これら折曲継手１０、保護管体３０、蓋体４０、及び螺合部材５０は、鉄などの鋼材で形成されている。
【００２５】
実施の形態に係るネジ鋼棒の連結構造では、折曲継手１０の非保護時（例えば、折曲継手１０が折り曲げ状態のとき）には、図１（ａ）に示したように、保護管体３０が、折曲継手１０の他方の端部（回動部材１３）側に連結されたネジ鋼棒１ａ上に移動させられ、保護管体３０の一方（折曲継手１０側）の開口部３０ａに蓋体４０が冠着され、蓋体４０と折曲継手１０との間のネジ鋼棒１ａ上に位置させられた螺合部材５０により、蓋体４０が冠着された保護管体３０の折曲継手１０側への移動が規制されるようになっている。すなわち、蓋体４０と螺合部材５０とが、保護管体３０の折曲継手１０側への移動を規制するストッパー部材として機能するようになっている。
【００２６】
一方、折曲継手１０の保護時（例えば、折曲継手１０を一直線上に延ばした状態で使用するとき）には、図１（ｂ）に示したように、図１（ａ）における蓋体４０が保護管体３０の開口部３０ａから一旦取り外されて、保護管体３０が折曲継手１０上に移動させられ、保護管体３０の一方（折曲継手１０側）の開口部３０ａが折曲継手１０の回動部材１４に形成された係止突部１４ｂに係止される一方、保護管体３０の他方の開口部３０ｂに蓋体４０が冠着され、蓋体４０が螺合部材５０より押圧された状態で、保護管体３０が折曲継手１０上に装着されるようになっている。
【００２７】
次に、上記した折曲継手１０の非保護状態から保護状態への移行状態をより具体的に説明する。図６−１、図６−２は、実施の形態に係るネジ鋼棒の連結構造における折曲継手の非保護状態から保護状態への移行状態を説明するための図である。
【００２８】
図６−１（ａ）は、折曲継手１０を介してネジ鋼棒１ａとネジ鋼棒１ｂとを折り畳んだ状態、例えば、ネジ鋼棒１ａ、１ｂを使用して鋼管杭（図示せず）を吊り下げる前の状態を示している。なお、ネジ鋼棒１ａ、１ｂの他端側には、必要に応じてさらに別のネジ鋼棒がカプラー等の継手を介して適宜連結されるようになっている。
【００２９】
まずは、クレーン等を使用して、上側に位置させるネジ鋼棒１ａを略垂直状態になるまで引き上げ（図６−１（ｂ））、さらにネジ鋼棒１ａをそのまま引き上げていき、ネジ鋼棒１ａ、１ｂが折曲継手１０介して略一直線状となるまで引き上げる（図６−１（ｃ））。
【００３０】
次に、これまでストッパー部材として機能していた蓋体４０を保護管体３０から取り外すため、保護管体３０を矢印（上）方向に引き上げて、保護管体３０から蓋体４０を取り外し（図６−２（ｄ））、螺合部材５０上でネジ鋼棒１ａに嵌め込まれている蓋体４０を、溝部４３に沿ってネジ鋼棒１ａの直径方向に引き抜いて、ネジ鋼棒１ａから蓋体４０を取り外す（図６−２（ｅ））。
【００３１】
ネジ鋼棒１ａから蓋体４０を取り外した後、保護管体３０を矢印（下）方向に下ろしていき、保護管体３０を折曲継手１０上に移動させて、折曲継手１０上に移動させられた保護管体３０の一方の開口部３０ａを、折曲継手１０の回動部材１４に形成された係止突部１４ｃに係止させる（係止突部１４ｃが、保護管体３０の移動を規制するストッパー部として機能している）（図６−２（ｆ））。
【００３２】
その後、蓋体４０の蓋板部４１が上側となるように、蓋体４０を反転させて、ネジ鋼棒１ａの直径方向から、蓋体４０の溝部４３にネジ鋼棒１ａを嵌め込んでいき、保護管体３０の他方の開口部３０ｂに蓋体４０の側壁部４２を嵌め込んで、蓋体４０を保護管体３０の他方の開口部３０ｂに冠着させる（図６−２（ｇ）、（ｈ））。
【００３３】
蓋体４０の保護管体３０への冠着後、蓋体４０の上方に位置する螺合部材５０を蓋体４０に押し当てる位置まで蓋体４０方向に螺進（回転）させて、保護管体３０の折曲継手１０上への装着を終える（図６−２（ｉ））。
【００３４】
上記実施の形態に係るネジ鋼棒の連結構造によれば、折曲継手１０の非保護時（例えば、ネジ鋼棒１ａ、１ｂが折曲継手１０を介して折り畳まれている時）には、折曲継手１０の他方の端部（回動部材１３）側に連結されたネジ鋼棒１ａ上に移動させられた保護管体３０の折曲継手１０側の開口部３０ａに蓋体４０が取り付けられ、蓋体４０と折曲継手１０との間のネジ鋼棒１ａ上に位置させられた螺合部材５０により蓋体４０が支持されて、保護管体３０の折曲継手１０側への移動が規制されるため、折曲継手１０の折り曲げ（折り畳み）動作に支障を生じることなく、保護管体３０を折曲継手１０の他方の端部（回動部材１３）側に連結されたネジ鋼棒１ａ上に位置させることができる。
【００３５】
一方、折曲継手１０の保護時（ネジ鋼棒１ａ、１ｂが折曲継手１０を介して一直線状に吊り上げられた状態で使用する時）には、蓋体４０を取り外して折曲継手１０上に移動させられた保護管体３０の折曲継手１０側の開口部３０ａが折曲継手１０の係止突部１４ｃに係止される一方、保護管体３０の他方の開口部３０ｂに蓋体４０が取り付けられ、螺合部材５０により蓋体４０が押圧されて、保護管体３０が折曲継手１０上に装着されるので、折曲継手１０を保護管体３０により確実に保護することができる。
【００３６】
したがって、折曲継手１０を介して連結されたネジ鋼棒１ａ、１ｂを鋼管杭頭部のナット部材に取り付けて、杭孔への建て込みを行う場合や該建て込み後に鋼管杭からネジ鋼棒１ａ、１ｂを回収する場合に、杭孔の側壁面への接触や干渉などから折曲継手１０を適切に保護することができ、工事の安全性及び作業性を高めることができる。
【００３７】
また、折曲継手１０が、抜け止め部材（図示せず）を使用して軸部材１５、１６が軸着されているものであっても、保護管体３０により確実に保護することができ、折曲継手１０を介して連結されたネジ鋼棒１ａ、１ｂを使用して、杭孔に鋼管杭を建て込む場合、杭孔の側壁面との接触で、前記抜け止め部材が変形したり、破損したりして、前記抜け止め部材が軸部材１５、１６から抜け落ちる虞を確実になくすことができ、抜け止め部材を使用する場合の作業の安全性を高めることができる。
【００３８】
また、蓋体４０が蓋板部４１と側壁部４２とからなり、蓋板部４１の中心部から側壁部４２に架けて、溝部４３が形成されているので、蓋体４０の溝部４３にネジ鋼棒１ａを容易に嵌め込むことができ、蓋体４０の側壁部４２を保護管体３０の内側に嵌め込むと、蓋板部４１の周縁部に保護管体３０の開口部３０ａが当接した状態で冠着されるので、蓋体４０をネジ鋼棒１ａ及び保護管体３０に容易に取り付けることができ、また、取り外しも容易に行うことができる。
【００３９】
なお、折曲継手１０の構成は、上記した形態のものに限定されるものではなく、他の形態のリンク機構が設けられ、一端側に係止突部が形成された折曲継手にも適用でき、保護管体のサイズは、使用される折曲継手の外形サイズを考慮して、折曲継手を内部に収容可能なサイズに設計される。
【符号の説明】
【００４０】
１ａ、１ｂ  ネジ鋼棒
１０  折曲継手
１１、１２  連結板
１３、１４  回動部材
１４ｃ  係止突部
１５、１６  軸部材
１７、１８  螺合部材
３０  保護管体
４０  蓋体
４１  蓋板部
４２  側壁部
４３  溝部
５０  螺合部材
【図１】
0003164119.tif 000003
【図２】
0003164119.tif 000004
【図３】
0003164119.tif 000005
【図４】
0003164119.tif 000006
【図５】
0003164119.tif 000007
【図６−１】
0003164119.tif 000008
【図６−２】
0003164119.tif 000009